(57)【要約】【課題】  、装置を複雑化することなく、極めて小さくコンパクト化を図ることができる支持装置を提供すること。【解決手段】  記録用紙の背面側に配置されるとともに記録用紙を傾斜姿勢に支持する支持装置５０は、記録用紙Ｐの長手方向にスライド可能なスライド部材５２と、スライド部材５２の上部に設けられ、収縮状態において記録用紙Ｐをセットする間口を塞ぐ様な形状を成す鍔部５３と、記録用紙Ｐを支持する支持手段を構成する下プレート５４及び上プレート５５を備えている。支持手段は下プレート５４及び上プレート５５によってアコーディオン式に収縮及び拡開する面を形成する様に構成されるとともに、前記収縮及び拡開する面の用紙長手方向一端側が鍔部５３に取り付けられたことにより、スライド部材５２のスライド動作に伴って収縮又は拡開する。【選択図】図５
2005247437.tif 000002
【特許請求の範囲】
【請求項１】
被記録媒体の背面側に配置されるとともに被記録媒体を傾斜姿勢に支持する支持手段が収縮及び拡開可能に構成された被記録媒体支持装置であって、
前記支持手段が収縮及び拡開する面を形成する様に構成されている、
ことを特徴とする被記録媒体支持装置。
【請求項２】
被記録媒体の背面側に配置されるとともに被記録媒体を傾斜姿勢に支持する支持手段が収縮及び拡開可能に構成された被記録媒体支持装置であって、
被記録媒体の長手方向にスライド可能なスライド部材と、
当該スライド部材をスライド可能に支持するフレームと、
前記スライド部材の上部に設けられ、前記支持手段が収縮した状態において被記録媒体をセットする間口を塞ぐ様な形状を成す鍔部と、を備え、
前記支持手段が、収縮及び拡開する面を形成する様に構成されるとともに、前記収縮及び拡開する面の被記録媒体長手方向一端側が前記鍔部に、他端側が前記フレームに取り付けられたことにより、前記スライド部材のスライド動作に伴って収縮又は拡開する様に構成されている、
ことを特徴とする被記録媒体支持装置。
【請求項３】
請求項１または２において、前記支持手段が、アコーディオン式に収縮及び拡開する面を形成する様に構成されている、
ことを特徴とする被記録媒体支持装置。
【請求項４】
被記録媒体と接して回転することにより被記録媒体を下流側に給送する給送ローラを備えた被記録媒体給送装置であって、
請求項１から３のいずれか１項に記載の前記被記録媒体支持装置を備えている、
ことを特徴とする被記録媒体給送装置。
【請求項５】
被記録媒体に記録を行う記録手段を備えた記録装置であって、前記記録手段の上流側に、請求項４記載の前記被記録媒体給送装置を備えている、
ことを特徴とする記録装置。
【請求項６】
被噴射媒体に液体噴射を行う液体噴射手段と、
被噴射媒体と接して回転することにより被噴射媒体を前記液体噴射手段へ給送する被噴射媒体給送手段と、
前記被噴射媒体給送手段に設けられ、被噴射媒体の背面側に配置されるとともに被噴射媒体を傾斜姿勢に支持する支持手段が収縮及び拡開可能に構成された被噴射媒体支持装置と、を備えた液体噴射装置であって、
前記支持手段が収縮及び拡開する面を形成する様に構成されていることを特徴とする液体噴射装置。
【発明の詳細な説明】
【技術分野】
【０００１】
本発明は、被記録媒体の背面側に配置されるとともに被記録媒体を傾斜姿勢に支持する支持手段が収縮及び拡開可能に構成された被記録媒体支持装置及びこれを備えた給送装置、記録装置に関する。また、本発明は液体噴射装置に関する。  
ここで、液体噴射装置とは、インクジェット式記録ヘッドが用いられ、該記録ヘッドからインクを吐出して被記録媒体に記録を行うプリンタ、複写機およびファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含む意味で用いる。  
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００２】
記録装置或いは液体噴射装置の一例としてインクジェットプリンタがある。以下、当該インクジェットプリンタを例に説明する。インクジェットプリンタは、装置後部に被記録媒体或いは被噴射媒体の一例としての用紙を複数枚傾斜姿勢でセット可能な給送装置（ＡＳＦ）を備え、当該給送装置から、用紙をインクジェット記録ヘッドの下へと搬送する搬送ローラへ向けて１枚ずつ給送する構成を有している。
【０００３】
ここで、給送装置には、用紙を傾斜姿勢に支持する支持装置（所謂「ペーパーサポート」と呼ばれるもの）が設けられている。この支持装置はインクジェットプリンタの後方に張り出す様な姿勢をとるため、非使用時においてコンパクト化を図るために、インクジェットプリンタに対して着脱自在に構成されるのが一般的である。
【０００４】
【特許文献１】特開２００３−２０１０３４号公報
【発明の開示】
【発明が解決しようとする課題】
【０００５】
しかし、上述の様に支持装置をインクジェットプリンタに対して着脱自在に構成する場合には、装置のコンパクト化を図ることができる反面、これらを別々に管理する必要がある為、ユーザにとっては管理が煩雑となるという欠点があった。また、支持装置をインクジェットプリンタと一体に構成するとともに収縮及び拡開可能に構成する場合には、収縮状態において極めて小さくコンパクト化が可能であること、また、装置が複雑化せず、低コストであるとともに美観を損ねないこと、が強く望まれる。
【０００６】
そこで本発明はこの様な状況に鑑みなされたものであり、その課題は、装置を複雑化することなく、極めて小さくコンパクト化を図ることができる支持装置を提供することにある。
【課題を解決するための手段】
【０００７】
上記課題を解決する為に、本発明の第１の態様に係る被記録媒体支持装置は、被記録媒体の背面側に配置されるとともに被記録媒体を傾斜姿勢に支持する支持手段が収縮及び拡開可能に構成された被記録媒体支持装置であって、前記支持手段が収縮及び拡開する面を形成する様に構成されていることを特徴とする。  
上記態様によれば、被記録媒体支持装置において被記録媒体の背面側に配置されるとともに被記録媒体を傾斜姿勢に支持する支持手段は収縮及び拡開する面を形成する様に構成されているので、収縮状態においてコンパクト化を図ることができる。また、収縮及び拡開する面によって外観が煩雑とならず、美観を損ねることがない。
【０００８】
本発明の第２の態様に係る被記録媒体支持装置は、被記録媒体の背面側に配置されるとともに被記録媒体を傾斜姿勢に支持する支持手段が収縮及び拡開可能に構成された被記録媒体支持装置であって、被記録媒体の長手方向にスライド可能なスライド部材と、当該スライド部材をスライド可能に支持するフレームと、前記スライド部材の上部に設けられ、前記支持手段が収縮した状態において被記録媒体をセットする間口を塞ぐ様な形状を成す鍔部と、を備え、前記支持手段が収縮及び拡開する面を形成する様に構成されるとともに、前記収縮及び拡開する面の被記録媒体長手方向一端側が前記鍔部に、他端側が前記フレームに取り付けられたことにより、前記スライド部材のスライド動作に伴って収縮又は拡開する様に構成されていることを特徴とする。
【０００９】
上記態様によれば、被記録媒体を傾斜姿勢に支持する支持手段は、収縮及び拡開する面を形成する様に構成されているので、上述した第１の態様と同様に収縮状態においてコンパクト化を図ることができるとともに、外観が煩雑とならず、美観を損ねることがない。また、これに加え、収縮状態ではスライド部材の上部に設けられた鍔部によって被記録媒体をセットする間口が塞がれるので、装置内部への塵埃等の進入を防止することができる。更に、拡開状態では前記鍔部によって形成される空間が前記収縮及び拡開する面によって覆われるので、被記録媒体をより適切に支持することができるとともに、美観を向上させることができる。
【００１０】
本発明の第３の態様に係る被記録媒体給送装置は、上記第１のまたは第２の態様において、前記支持手段が、アコーディオン式に収縮及び拡開する面を形成する様に構成されていることを特徴とする。  
上記態様によれば、前記支持手段が、アコーディオン式に収縮及び拡開する面を形成する様に構成されているので、収縮状態において極めて小さくコンパクト化を図ることができる。また、簡単な構成によって収縮及び拡開する面を形成することができ、構成を単純化することができるので低コスト化を図ることができるとともに外観が煩雑とならず、美観を損ねることがない。
【００１１】
本発明の第４の態様に係る被記録媒体給送装置は、被記録媒体と接して回転することにより被記録媒体を下流側に給送する給送ローラを備えた被記録媒体給送装置であって、上記第１から第３の態様のいずれかに係る前記被記録媒体支持装置を備えていることを特徴とする。本態様によれば、被記録媒体給送装置において、上述した第１から第３の態様のいずれかと同様な作用効果を得ることができる。
【００１２】
本発明の第５の態様に係る記録装置は、被記録媒体に記録を行う記録手段を備えた記録装置であって、上記第４の態様に係る前記被記録媒体給送装置を備えていることを特徴とする。本態様によれば、記録装置において、上述した第１から第３の態様のいずれかと同様な作用効果を得ることができる。
【００１３】
本発明の第６の態様に係る液体噴射装置は、被噴射媒体に液体噴射を行う液体噴射手段と、被噴射媒体と接して回転することにより被噴射媒体を前記液体噴射手段へ給送する被噴射媒体給送手段と、前記被噴射媒体給送手段に設けられ、被噴射媒体の背面側に配置されるとともに被噴射媒体を傾斜姿勢に支持する支持手段が収縮及び拡開可能に構成された被噴射媒体支持装置と、を備えた液体噴射装置であって、前記支持手段が収縮及び拡開する面を形成する様に構成されていることを特徴とする。
【発明を実施するための最良の形態】
【００１４】
以下、図１乃至図５を参照しながら本発明の一実施形態について説明する。ここで、図１は本発明に係る「記録装置」、「液体噴射装置」の一例としてのインクジェットプリンタ（以下「プリンタ」と言う）１の外観斜視図、図２は同側断面概略図、図３は本発明に係る「被記録媒体給送装置」としての給送装置２の斜視図、図４（Ａ）は収縮状態にある、本発明に係る「被記録媒体支持装置」としての支持装置５０の斜視図、図４（Ｂ）は同側断面図、図５（Ａ）は拡開状態にある支持装置５０の斜視図、図５（Ｂ）は同側断面図である。尚、以下では、用紙搬送経路（副走査方向）の上流側（図２の右側）を単に「上流側」と言い、用紙搬送経路の下流側（図２の左側）を単に「下流側」と言うこととする。
【００１５】
先ず、図１乃至図３を参照しながらプリンタ１及び給送装置２の構成について概説する。プリンタ１は、「被記録媒体」「被噴射媒体」の一例としての、比較的サイズの小さいハガキ、Ｌ判サイズ等の記録用紙（以下「記録用紙Ｐ」と言う）への記録に適した小型サイズに構成されたものである。  
図１において、プリンタ１はハウジング３によって外観が構成され、Ａ４サイズの記録に好適であるインクジェットプリンタと同様に、装置後部に記録用紙Ｐを傾斜姿勢で複数枚セット可能な給送装置２を備え、装置前部には記録の行われた記録用紙Ｐをスタックするスタッカ６を備えている。
【００１６】
プリンタ１の装置上面中央には電源ボタン、印刷設定ボタン等によって構成された操作部５と、印刷設定内容や現在の動作ステータス等を表示する表示部４が配置され、装置前方右上には、画像データ等が記憶された半導体メモリ媒体を装着可能なカードスロット（図示せず）を覆う開閉自在なカバー３ａが設けられている。即ち、プリンタ１は、外部のホスト・コンピュータと接続して印刷データを受信するのみならず、画像データを記憶した半導体メモリから直接画像データを読み込み、そして印刷用のデータを生成して自ら印刷実行可能に構成されている。
【００１７】
次に、プリンタ１の内部構成について図２を中心に、適宜図３をも参照しながら説明する。図２において、給送装置２は、ホッパ１０と、可動ガイド９と、固定ガイド８と、給送ローラ１１と、アイドルローラ１４と、摩擦分離材１３と、戻しレバー１２と、支持装置５０と、更に例示したこれら以外の種々の構成要素を備えている。ホッパ１０は記録用紙Ｐを傾斜姿勢に支持するとともに、揺動支点１０ａを中心にカム機構（図示せず）によって揺動駆動され、給送ローラ１１に記録用紙Ｐを圧接させる姿勢と、離間させる姿勢とを切換可能となっている。ホッパ１０に設けられた固定ガイド８（図３参照）と可動ガイド９は、記録用紙Ｐの側端をガイドするとともに、可動ガイド９においては、記録用紙Ｐの各サイズに対応する様に、記録用紙Ｐの幅方向にスライド可能に設けられている。
【００１８】
給送ローラ１１は側面視略Ｄ形の形状を成し、図３にも示す様に給送ローラ軸１１ａと一体的に形成されたローラ本体部１１ｂ（鍔部を備えたドラム形状を成している）に、ゴム材１１ｃが巻回されることによって構成されている。尚、ローラ本体部１１ｂとゴム材１１ｃの関係が、円弧部においてはゴム材１１ｃが記録用紙Ｐと接触し、平坦部においてはローラ本体部１１ｂが記録用紙Ｐと接触する様に成されている。そして、当該給送ローラ１１（給送ローラ軸１１ａ）は、紙送りモータ３９及び図示しないクラッチ機構によって用紙給送時にのみ選択的に回転駆動される。用紙給送時には、給送ローラ１１はその円弧部分によって給送ローラ１１に圧接した記録用紙Ｐの最上位のものを下流側へ給送し、用紙給送が終了すると、下流側の搬送駆動ローラ２１による用紙搬送動作の際に搬送負荷を生じさせない様、図２に示す様に側面視略Ｄ形の形状における平坦部が摩擦分離材１３と対向する様に駆動制御される。
【００１９】
ここで、下流側の搬送駆動ローラ２１による用紙搬送中に、給送ローラ１１に接触すると搬送負荷が生じる他、記録面に搬送方向に延びる様な接触痕が形成されてしまう虞がある。従ってこれを防止する為に、本実施形態では符号１４で示す自由回転可能なアイドルローラを設け、これによって用紙搬送中における給送ローラ１１への接触を防止して、搬送負荷や接触痕の発生を防止している。また、アイドルローラ１４は図３に示す様に用紙幅方向においてほぼ均等に配置されていることから、これによって用紙幅方向における姿勢を均一化することができ、用紙搬送中（印刷中）におけるスキュー等の発生を防止することが可能となる。
【００２０】
続いて、給送ローラ１１と対向する位置には、分離手段としての摩擦分離材１３が設けられている。摩擦分離材１３は用紙給送時に給送ローラ１１の円弧部分と圧接して圧接点を形成し、これにより、給送されるべき最上位の記録用紙Ｐと、重送されようとする次位以降の記録用紙Ｐとを分離する。更に、給送ローラ１１と対向する位置には戻しレバー１２が設けられている。戻しレバー１２は、その回動範囲が給送ローラ１１と摩擦分離材１３との圧接点とオーバーラップする様に、回動軸１２ａを中心に回動可能に設けられ、そして図示しないカム機構によって駆動制御される。この戻しレバー１２は、給送ローラ１１の１回転動作中に、図２に示す待機状態から用紙給送経路から退避する様に一旦倒れ、そして再び図２に示す様に起き上がることにより、重送されようとした次位以降の記録用紙Ｐを上流側に戻す。
【００２１】
次に、給送装置２の後部（記録用紙Ｐの背面側）に取り付けられる支持装置５０は、図３に示すようにホッパ１０から上方に突出する様に設けられる、下プレート５４及び上プレート５５を備えて構成された支持手段を有し、セットされる記録用紙Ｐを傾斜姿勢に支持する。この支持装置５０の構成については、後に詳しく説明する。
【００２２】
尚、給送装置２は、その基体を構成するフレーム７に上記各構成要素が取り付けられてユニットを形成するとともに、当該ユニットが給送ローラ軸１１ａを回動軸として回動可能に設けられ、使用状態では図２に示すように後方に張り出す様な傾斜姿勢となり、逆に収納状態においては、略垂直に立設された状態となり（図示せず）、プリンタ１のコンパクト化を図ることができる様になっている。
【００２３】
以上が給送装置２であり、給送装置２の下流側には、給送ローラ１１と搬送駆動ローラ２１との間に、レバー１５と検出部１６とを備えて成る紙検出器１７が設けられている。レバー１５は揺動軸１５ａを中心に揺動可能に設けられ、且つ、揺動軸１５ａから上側部分が、給送される記録用紙Ｐと接触可能に構成されている。検出部１６は光学センサであり、レバー１５の揺動軸１５ａから下側部分が図示する様に検出部１６に入り込むことにより、発光部から受光部へ向かう光が遮断され、記録用紙Ｐの未通過状態が検出される。そして、レバー１５が、記録用紙Ｐの通過に伴って揺動すると、レバー１５の揺動軸１５ａから下側部分が検出部１６から外れ、これにより、記録用紙Ｐ先端の通過を検出することができる様になっている。また、記録用紙Ｐ後端が通過すると、再びレバー１５の下端部が検出部１６に入り込み、これにより、記録用紙Ｐ後端の通過を検出可能となる。
【００２４】
次に、紙検出器１７の下流側には、搬送駆動ローラ２１と搬送従動ローラ２２とが設けられている（以下当該ローラ対を適宜「搬送ローラ」と言う）。搬送駆動ローラ２１は図示しない紙送りモータによって回転駆動され、搬送従動ローラ２２は、搬送駆動ローラ２１に圧接して従動回転する。そして、給送ローラ１１によって給送された記録用紙Ｐは当該搬送ローラにニップされ、記録ヘッド２６の下へと搬送される。
【００２５】
搬送従動ローラ２２を軸支する搬送従動ローラホルダ２０の下流側端部には、自由回転可能なガイドローラ２３が設けられている。ガイドローラ２３は、記録用紙Ｐのプラテン２８からの浮き上がりを防止する為のローラであり、これにより、記録用紙Ｐと記録ヘッド１４との距離が一定に保たれ、記録品質の低下やヘッド擦れを防止する。
【００２６】
次に、搬送ローラの下流側には、記録ヘッド２６とプラテン２８とが対向する様に設けられている。記録ヘッド２６はキャリッジ２５の底部に設けられ、インク滴を記録用紙Ｐに向けて吐出することにより、記録（印刷）を実行する。キャリッジ２５は主走査方向に延びるキャリッジガイド板２７によってガイドされながら、図示しないモータの動力を受けて主走査方向に往復駆動される。尚、本実施形態では、キャリッジ２５はインクカートリッジを搭載せず、プリンタ１の装置本体底部に固設されるインクカートリッジ（図示せず）から、インクチューブ（図示せず）を介して記録ヘッド２６へとインクが供給される様に構成されている。
【００２７】
プラテン２８は、記録用紙Ｐを下から支持することにより、記録用紙Ｐと記録ヘッド２５との間のギャップを規定するが、記録ヘッド２５と対向する面には、凹部２８ａが形成されている。これは、記録用紙Ｐに余白無く印刷を行う為のものであり、記録用紙Ｐの端部にインク滴を吐出する際に、記録用紙Ｐ端部から外れた部分にもインク滴を吐出し、そして凹部２８ａへと打ち捨てることにより、所謂縁無し印刷が実行される。尚、凹部２８ａには、インク滴を吸収するインク吸収材（図示せず）が配設されている。凹部２８ａに打ち捨てられたインク滴は図示しない排出孔から下部へ排出され、そしてプラテン２８の下部には、この排出されたインク滴を受ける廃液トレイ３４が設けられている。廃液トレイ３４の内部には廃液吸収材３５が設けられ、廃液トレイ３４内のインク廃液を確実に保持する。
【００２８】
続いて、記録ヘッド２６の下流側には、回転駆動される排出駆動ローラ２９と、当該排出駆動ローラ２９に接して従動回転する排出従動ローラ３０と、排出駆動ローラ２９の下流側に設けられ、排出駆動ローラ２９と同期して回転駆動される補助駆動ローラ３２と、補助駆動ローラ３２のやや上流側近傍に補助駆動ローラ３２から離間して設けられ、記録用紙Ｐの記録面と接して従動回転する補助従動ローラ３３とが設けられている。記録が行われた記録用紙Ｐは、排出駆動ローラ２９と排出従動ローラ３０とにニップされることにより、スタッカ６へ向けて排出される。このとき、補助駆動ローラ３２は、記録用紙Ｐの後端をスタッカ６に向けて確実に落とす機能を果たし、補助従動ローラ３３は、記録用紙Ｐ後端の浮き上がりを防止して、記録用紙Ｐ後端と補助駆動ローラ３２との接触状態を維持する機能を果たす。
【００２９】
以上がプリンタ１の概略であり、以下、支持装置５０について詳説する。支持装置５０は、図３及び図４に示す様に給送装置２の後部を覆う様な形状を成すフレーム５１に、プレート形状を成すスライド部材５２を備えている。フレーム５１の側壁５１ｅ、５１ｆの基端には、記録用紙Ｐの長手方向に延びるガイド部（図４及び図５では片側のガイド部５１ｃのみ図示する）が形成されていて、当該ガイド部により、スライド部材５２はフレーム５１に保持されるとともに記録用紙Ｐの長手方向（図３乃至図５の上下方向）にスライド可能となっている。
【００３０】
そしてスライド部材５２の上部には、プリンタ１の前方側にせり出す様な形状を成す鍔部５３がスライド部材５２と一体的に形成され、スライド部材５２とともに記録用紙Ｐの長手方向に変位する。この鍔部５３は、図１にも示す様に支持装置５０の収縮状態において記録用紙Ｐをセットする間口を塞ぐ形状を成し、これにより、プリンタ１内部への塵埃等の進入が防止される様になっている。
【００３１】
続いて、フレーム５１と鍔部５３との間には、下プレート５４と上プレート５５とを備えて構成された支持手段が設けられる。この支持手段は記録用紙Ｐを傾斜姿勢に支持するものであるとともに、アコーディオン式に収縮（縮小）及び拡開（展開）可能に構成されている。
【００３２】
より詳しくは、図５に示す拡開状態において、下プレート５４の下端両側にはフレーム５１の側壁５１ｅ、５１ｆに向けて突出する軸５４ａ、５４ｂが形成され、当該軸５４ａ、５４ｂが、側壁５１ｅ、５１ｆにそれぞれ形成された軸受部５１ａ、５１ｂに嵌入することで、回動自在に軸支される。一方、上プレート５５には、図５に示す拡開状態において鍔部５３の側壁５３ｃ、５３ｄに向けて突出する軸５５ｃ、５５ｄが上端両側に形成され、当該軸５５ｃ、５５ｄが、側壁５３ｃ、５３ｄにそれぞれ形成された軸受部５３ａ、５３ｂに嵌入することで、回動自在に軸支される。
【００３３】
また、下プレート５４と上プレート５５とは、下プレート５４の上端両側に形成された軸５４ｃ、５４ｄが、上プレート５５の下端両側に形成された軸受部５５ａ、５５ｂに嵌入することによって双方が回動自在に連結される。以上により、下プレート５４と上プレート５５とを備えた支持手段は、スライド部材５２のスライド動作に伴って、図４及び図５に示す様にアコーディオン式に収縮及び拡開する面を形成する。
【００３４】
以上の様に構成された支持装置５０は以下の様な作用効果を奏する。即ち、記録用紙Ｐの背面側に配置されるとともに記録用紙Ｐを傾斜姿勢に支持する支持手段が収縮及び拡開可能に構成された支持装置５０において、前記支持手段が、下プレート５４と上プレート５５とが回動自在に連結されることにより、アコーディオン式に収縮及び拡開する面を形成する様に構成されている。そして、当該収縮及び拡開する面の一端側（上プレート５５の上部）が鍔部５３に取り付けられ、他端側（下プレート５４の下部）がフレーム５１に取り付けられたことにより、スライド部材５２のスライド動作に伴って収縮及び拡開する様に構成されている。
【００３５】
従って、収縮状態においては図４に示すようにコンパクト化を図ることができる。また特に、アコーディオン式に収縮及び拡開する構成であるので、極めて小さくコンパクト化を図ることができるとともに、構成を単純化することができるので、低コスト化を図ることができ、そして外観が煩雑とならず、美観を損ねることがない。
【００３６】
尚、「アコーディオン式に収縮及び拡開する面」（以下「収縮拡開面」と言う）は、本実施形態においては下プレート５４と上プレート５５のプレート面によって形成されるが、これは必ずしもその全面を利用して記録用紙Ｐを均一に支持する必要は無い。例えば、本実施形態においては図５（Ｂ）に示すように拡開状態において収縮拡開面は側断面視において窪んだ形状を成しており、専ら記録用紙Ｐの背面に向けて突出した部分（図５（Ａ）の符号ａ、ｂで示す部分）によって記録用紙Ｐを支持する。つまり、鍔部５３を設けたことによって記録用紙Ｐとスライド部材５２との間に空間が形成されるが、当該空間に収縮拡開面を配置することによって、記録用紙Ｐを支持する支持点を増やすことができ、より適切に記録用紙Ｐを支持することができるとともに、支持装置５０の美観を向上させることができる。尚、拡開状態において収縮拡開面を例えばフラットな面或いは緩やかな凸面とすることにより、その全面を利用して記録用紙Ｐを均一に支持する様に構成すれば、記録用紙Ｐの湾曲を防止することができ、より一層好適である。
【図面の簡単な説明】
【００３７】
【図１】本発明に係るプリンタの外観斜視図。
【図２】本発明に係るプリンタの側断面概略図。
【図３】本発明に係る給送装置の斜視図。
【図４】（Ａ）は収縮状態にある支持装置の斜視図、（Ｂ）は同側断面図。
【図５】（Ａ）は拡開状態にある支持装置の斜視図、（Ｂ）は同側断面図。
【符号の説明】
【００３８】
１  インクジェットプリンタ、２  給紙装置、３  ハウジング、４  表示部、５  操作部、６  スタッカ、７  フレーム、８  固定ガイド、９  可動ガイド、１０  ホッパ、１１  給送ローラ、１２  紙戻しレバー、１３  摩擦分離材、１４  アイドルローラ、１５  レバー、１６  検出部、１７  紙検出器、１８  紙案内部材、２０  搬送従動ローラホルダ、２１  搬送駆動ローラ、２２  搬送従動ローラ、２３  ガイドローラ、２５  キャリッジ、２６  記録ヘッド、２７  キャリッジガイド板、２８  プラテン、２９  排出駆動ローラ、３０  排出従動ローラ、３２  補助駆動ローラ、３３  補助従動ローラ、３４  廃液トレイ、３５  廃液吸収材、３７  排出補助ローラ、５０  支持装置、５１  フレーム、５２  スライド部材、５３  鍔部、５４  下プレート、５５  上プレート、Ｐ  記録用紙
【図１】
2005247437.tif 000003
【図２】
2005247437.tif 000004
【図３】
2005247437.tif 000005
【図４】
2005247437.tif 000006
【図５】
2005247437.tif 000007